(57)【要約】【課題】ＭＰＥＧ−ＴＳ再生装置の記録媒体の容量を小さくする。【解決手段】  本発明のＭＰＥＧ−ＴＳ再生装置は、複数の映像ＴＳ、複数の音声ＴＳ及び少なくとも１つのＰＳＩ／ＳＩ・ＴＳを記憶する記憶手段（２１）と、記憶手段（２１）内に記憶される複数のＴＳの中から、１つの映像ＴＳ、１つの音声ＴＳ及び１つのＰＳＩ／ＳＩ・ＴＳを選択可能にする選択手段（２２）と、選択手段（２２）を介して１つの映像ＴＳ、１つの音声ＴＳ及び１つのＰＳＩ／ＳＩ・ＴＳを読み出し、それらのＴＳを多重化して１つのＭＰＥＧ−ＴＳとして出力する出力手段（２３）と、を備える。【選択図】  図２
2006050009.tif 000002
【特許請求の範囲】
【請求項１】
ＭＰＥＧ−ＴＳ再生装置であって、
複数の映像ＴＳ及び複数の音声ＴＳを記憶する記憶手段（２１）と、
記憶手段（２１）内に記憶される複数のＴＳの中から、１つの映像ＴＳ及び１つの音声ＴＳを読み出し、それらのＴＳを多重化し、１つのＭＰＥＧ−ＴＳとして出力する出力手段（２３）と、
を備えるＭＰＥＧ−ＴＳ再生装置。
【請求項２】
請求項１に記載のＭＰＥＧ−ＴＳ再生装置であって、該再生装置はさらに、
記憶手段（２１）内に記憶される複数のＴＳの中から、１つの映像ＴＳ及び１つの音声ＴＳを選択可能にする選択手段（２２）を備え、
出力手段（２３）は、選択手段（２２）を介して１つの映像ＴＳ及び１つの音声ＴＳを読み出す、ＭＰＥＧ−ＴＳ再生装置。
【請求項３】
請求項２に記載のＭＰＥＧ−ＴＳ再生装置であって、
記憶手段（２１）はさらに、少なくとも１つのＰＳＩ／ＳＩ・ＴＳを記憶し、
選択手段（２２）はさらに、１つのＰＳＩ／ＳＩ・ＴＳを選択可能にし、
出力手段（２３）はさらに、１つのＰＳＩ／ＳＩ・ＴＳを読み出し、それを多重化する、ＭＰＥＧ−ＴＳ再生装置。
【請求項４】
請求項１に記載のＭＰＥＧ−ＴＳ再生装置であって、
出力手段（２３）は、
１つの映像ＴＳ及び１つの音声ＴＳのそれぞれを１パケットずつ読み出し、記憶し、出力するバッファ（４４、４５）と、
バッファ（４４、４５）から出力される映像パケット又は音声パケットのいずれかを所定の優先順位に従って選択し、映像パケット及び音声パケットを多重化する手段（４８、５１）と、
を備える、ＭＰＥＧ−ＴＳ再生装置。
【請求項５】
請求項２に記載のＭＰＥＧ−ＴＳ再生装置であって、
選択手段（２２）は、
１つの映像ＴＳ及び１つの音声ＴＳに対応するパターンを記録する手段（４１）を備える、ＭＰＥＧ−ＴＳ再生装置。
【請求項６】
請求項３に記載のＭＰＥＧ−ＴＳ再生装置であって、
出力手段（２３）は、
１つの映像ＴＳ、１つの音声ＴＳ及び１つのＰＳＩ／ＳＩ・ＴＳのそれぞれを１パケットずつ読み出し、記憶し、出力するバッファ（４４、４５、４６）と、
バッファ（４４、４５、４６）から出力される映像パケット、音声パケット又はＰＳＩ／ＳＩパケットのいずれかを所定の優先順位に従って選択し、映像パケット、音声パケット及びＰＳＩ／ＳＩパケットを多重化する手段（４８、５１）と、を備え、ＭＰＥＧ−ＴＳ再生装置。
選択手段（２２）は、
１つの映像ＴＳ、１つの音声ＴＳ、１つのＰＳＩ／ＳＩ・ＴＳに対応するパターンを記録する手段（４１）を備える、ＭＰＥＧ−ＴＳ再生装置。
【発明の詳細な説明】
【技術分野】
【０００１】
本発明は、ＭＰＥＧ−ＴＳ（トランスポートストリーム：Ｔｒａｎｓｐｏｒｔ  Ｓｔｒｅａｍ）を再生する装置に関連する。より詳細には、本発明は、映像ＴＳ、音声ＴＳ及びＰＳＩ／ＳＩ（Ｐｒｏｇｒａｍ  Ｓｐｅｃｉｆｉｃａｔｉｏｎ  Ｉｎｆｏｒｍａｔｉｏｎ／Ｓｅｒｖｉｃｅ  Ｉｎｆｏｒｍａｔｉｏｎ）ＴＳを組み合わせ、それらを１つのＭＰＥＧ−ＴＳとして再生する装置に関連する。
【背景技術】
【０００２】
図１は、従来のＭＰＥＧ−ＴＳ再生装置内で記録されているＭＰＥＧ−ＴＳの概念図を示す。図１に示すように、映像ＴＳ１１、音声ＴＳ１２及びＰＳＩ／ＳＩ・ＴＳ１３は、予め多重化された状態で、従来のＭＰＥＧ−ＴＳ再生装置内の記録媒体（ＨＤＤ、ＲＯＭ、ＣＤ等）に記録されている。従来のＭＰＥＧ−ＴＳ再生装置は、例えば、Ｔｅｋｔｒｏｎｉｘ社から入手可能な「ＭＴＸ１００」、横河電機株式会社から入手可能な「ＶＴ１２００」である。
【０００３】
もう１つの従来のＭＰＥＧ−ＴＳ再生装置内の記録媒体には、映像および音声データが、ＥＳ（エレメンタリ・ストリーム：Ｅｌｅｍｅｎｔａｒｙ  Ｓｔｒｅａｍ）の状態で記憶されている。そのＭＰＥＧ−ＴＳ再生装置は、映像および音声のＥＳをＴＳ化及び多重化する。もう１つの従来のＭＰＥＧ−ＴＳ再生装置は、例えば、Ｔｅｋｔｒｏｎｉｘ社から入手可能な「ＡＤ９５０」「ＭＴＳ３００」である。
【非特許文献１】インターネット＜  ＵＲＬ  ：ｈｔｔｐ：／／ｗｗｗ．ｔｅｋ．ｃｏｍ／ｓｉｔｅ／ｐｓ／０％２Ｃ％２Ｃ２５−１４８８４−ＩＮＴＲＯ＿ＥＮ％２Ｃ００．ｈｔｍｌ＞
【非特許文献２】インターネット＜  ＵＲＬ  ：ｈｔｔｐ：／／ｗｗｗ．ｙｏｋｏｇａｗａ．ｃｏｍ／ｔｍ／ｐｄｆ／ｂｕ／ｖｔ１２００／ｂｕ７０６５−５０ｅ＿０１０．ｐｄｆ＞
【発明の開示】
【発明が解決しようとする課題】
【０００４】
複数のＭＰＥＧ−ＴＳを再生する場合、従来のＭＰＥＧ−ＴＳ再生装置の記録媒体は、複数のＭＰＥＧ−ＴＳを予め記録する必要がある。すなわち、Ｌ種類の映像ＴＳ、Ｍ種類の音声ＴＳ及びＮ種類のＰＳＩ／ＳＩ・ＴＳの組み合わせからなる複数のＭＰＥＧ−ＴＳを再生する場合、（Ｌ×Ｍ×Ｎ）個のＭＰＥＧ−ＴＳを記録する必要がある。
【０００５】
従来のＭＰＥＧ−ＴＳ再生装置の記録媒体の容量が小さい場合、（Ｌ×Ｍ×Ｎ）個のＭＰＥＧ−ＴＳの一部のみが記録される。この場合、記録されていない組み合わせのＭＰＥＧ−ＴＳは、再生することができない。
【０００６】
もう１つの従来のＭＰＥＧ−ＴＳ再生装置の記録媒体は、映像および音声のＥＳを記憶する。すなわち、Ｌ種類の映像ＴＳ及びＭ種類の音声ＴＳの組み合わせからなる複数のＭＰＥＧ−ＴＳを再生する場合、（Ｌ＋Ｍ）個のＥＳを記録すればよい。
【０００７】
しかしながら、再生の段階でＥＳをＴＳ化及び多重化するため、もう１つの従来のＭＰＥＧ−ＴＳ再生装置は、大型で、高価なものになってしまう。
従って、本発明の目的は、ＭＰＥＧ−ＴＳ再生装置の記録媒体の容量を小さくする。
【０００８】
本発明のもう１つの目的は、一定の記憶容量で、より多くの種類のＭＰＥＧ−ＴＳを再生することを可能にする。
本発明の更なる目的は、低価格なＭＰＥＧ−ＴＳ再生装置を提供する。
【０００９】
本発明の他の目的は、以下に述べる実施形態及び添付の図面を参照することによって、当業者に明らかになるであろう。
【課題を解決するための手段】
【００１０】
本発明のＭＰＥＧ−ＴＳ再生装置は、複数の映像ＴＳ及び複数の音声ＴＳを記憶する記憶手段（２１）と、記憶手段（２１）内に記憶される複数のＴＳの中から、１つの映像ＴＳ及び１つの音声ＴＳを読み出し、それらのＴＳを多重化し、１つのＭＰＥＧ−ＴＳとして出力する出力手段（２３）と、を備える。
【００１１】
そのＭＰＥＧ−ＴＳ再生装置はさらに、記憶手段（２１）内に記憶される複数のＴＳの中から、１つの映像ＴＳ及び１つの音声ＴＳを選択可能にする選択手段（２２）を備えることが可能であり、出力手段（２３）は、選択手段（２２）を介して１つの映像ＴＳ及び１つの音声ＴＳを読み出す。
【００１２】
具体的には、出力手段（２３）は、１つの映像ＴＳ及び１つの音声ＴＳのそれぞれを１パケットずつ読み出し、記憶し、出力するバッファ（４４、４５）と、バッファ（４４、４５）から出力される映像パケット又は音声パケットのいずれかを所定の優先順位に従って選択し、映像パケット及び音声パケットを多重化する手段（４８、５１）と、を備える。
【００１３】
選択手段（２２）は、１つの映像ＴＳ及び１つの音声ＴＳに対応するパターンを記録する手段（４１）を備える。
【発明の効果】
【００１４】
Ｌ種類の映像ＴＳ、Ｍ種類の音声ＴＳ及びＮ種類のＰＳＩ／ＳＩ・ＴＳの組み合わせからなる複数のＭＰＥＧ−ＴＳを再生する場合、本発明のＭＰＥＧ−ＴＳ再生装置の記録媒体は、（Ｌ＋Ｍ＋Ｎ）個のＴＳを記録すればよい。その結果、本発明のＭＰＥＧ−ＴＳ再生装置の記録媒体の容量は、従来のものと比べて、小さくすることができる。
【００１５】
本発明のＭＰＥＧ−ＴＳ再生装置の記録媒体は、映像および音声のＥＳではなく映像及び音声のＴＳを記憶するので、より簡易的にＭＰＥＧ−ＴＳを出力することができる。その結果、低価格なＭＰＥＧ−ＴＳ再生装置を提供することができる。
【発明を実施するための最良の形態】
【００１６】
図２は、本発明のＭＰＥＧ−ＴＳ再生装置の概略ブロック図を示す。図２に示すように、本発明のＭＰＥＧ−ＴＳ再生装置は、複数の映像ＴＳ、複数の音声ＴＳ及び少なくとも１つのＰＳＩ／ＳＩ・ＴＳを記憶する記憶手段２１と、記憶手段２１内に記憶される複数のＴＳの中から、１つの映像ＴＳ、１つの音声ＴＳ及び１つのＰＳＩ／ＳＩ・ＴＳを選択可能にする選択手段２２と、選択手段２２を介して１つの映像ＴＳ、１つの音声ＴＳ及び１つのＰＳＩ／ＳＩ・ＴＳを読み出し、それらのＴＳを多重化して１つのＭＰＥＧ−ＴＳとして出力する出力手段２３と、を備える。
【００１７】
選択手段２２は、出力手段２３から出力されるＭＰＥＧ−ＴＳの種類を表すパターン番号を記録する。パターン番号は、ユーザによって選択され、記憶手段２１内に記憶される１つの映像ＴＳ、１つの音声ＴＳ及び１つのＰＳＩ／ＳＩ・ＴＳに対応する。
【００１８】
例えば、４種類の映像ＴＳ（ＴＳ１１−１、ＴＳ１１−２、ＴＳ１１−３、ＴＳ１１−４）、４種類の音声ＴＳ（ＴＳ１２−１、ＴＳ１２−２、ＴＳ１２−３、ＴＳ１２−４）及び１種類のＰＳＩ／ＳＩ・ＴＳ（ＴＳ１３）が、記憶手段２１に記憶されていると想定する。図３は、記憶手段２１内に記憶される１つの映像ＴＳ、１つの音声ＴＳ及び１つのＰＳＩ／ＳＩ・ＴＳと、パターン番号との関係の１例を表す。図３に示すように、例えば、パターン番号１は、第１の映像ＴＳ（ＴＳ１１−１）、第１の音声ＴＳ（ＴＳ１２−１）及びＰＳＩ／ＳＩ・ＴＳ（ＴＳ１３）に対応し、パターン番号２は、第２の映像ＴＳ（ＴＳ１１−２）、第１の音声ＴＳ（ＴＳ１２−１）及びＰＳＩ／ＳＩ・ＴＳ（ＴＳ１３）に対応する。
【００１９】
記憶手段２１内の複数の映像ＴＳは、すべて同じパケットＩＤを持つ。言い換えれば、同じパケットＩＤを持つように、記憶手段２１内の複数の映像ＴＳのそれぞれが予め生成され、記憶されている。同様に、同じパケットＩＤを持つように、記憶手段２１内の複数の音声ＴＳのそれぞれが予め生成され、記憶されている。
【００２０】
また、記憶手段２１に記憶される映像ＴＳ及び音声ＴＳと、ＰＳＩ／ＳＩ・ＴＳとの間の情報は、整合する。具体的には、記憶手段２１に記憶される映像ＴＳ及び音声ＴＳのそれぞれのＰＩＤ（Ｐａｃｋｅｔ  ＩＤ）は、記憶手段２１に記憶されるＰＳＩ／ＳＩ・ＴＳのＰＭＴ（Ｐｒｏｇｒａｍ  Ｍａｐ  Ｔａｂｌｅ）パケット内の映像及び音声のそれぞれのＰＩＤと一致する。また、記憶手段２１に記憶されるＰＭＴのＰＣＲ（Ｐｒｏｇｒａｍ  Ｒｅｆｅｒｅｎｃｅ  Ｃｌｏｃｋ）−ＰＩＤは、ＰＣＲを含むＴＳ（映像ＴＳ又は音声ＴＳ）のＰＩＤと一致する。さらに、記憶手段２１に記憶されるＰＭＴの映像及び音声のそれぞれのエンコードフォーマットは、記憶手段２１に記憶される映像ＴＳ及び音声ＴＳのぞれぞれのエンコードフォーマット（例えば、映像：ＭＰＥＧ−２、ＭＰＥＧ−４など、音声：ＭＰＥＧ−ＡＡＣなど）と一致する。
【００２１】
出力手段２３は、選択手段２２を介して、パターン番号に対応する１つの映像ＴＳ、１つの音声ＴＳ及び１つのＰＳＩ／ＳＩ・ＴＳのそれぞれにアクセスし、読み出す。その後、出力手段２３は、読み出した１つの映像ＴＳ、１つの音声ＴＳ及び１つのＰＳＩ／ＳＩ・ＴＳを多重化して１つのＭＰＥＧ−ＴＳとして出力する。
【００２２】
出力手段２３は、パターン番号に対応する１つの映像ＴＳ及び１つの音声ＴＳのそれぞれを読み出した後、その映像ＴＳ及び１つの音声ＴＳのそれぞれを再度読み出す。その結果、出力手段２３から出力されるＭＰＥＧ−ＴＳ内の映像ＴＳ及び音声ＴＳのそれぞれは、繰り返して再生される。
【００２３】
出力手段２３は、１つの映像ＴＳ、１つの音声ＴＳ及び１つのＰＳＩ／ＳＩ・ＴＳを多重化する際、ＭＰＥＧ−ＴＳのタイムスタンプ（ＰＣＲ及びＰＴＳ（Ｐｒｅｓｅｎｔａｔｉｏｎ  Ｔｉｍｅ  Ｓｔａｍｐ）／ＤＴＳ（Ｄｅｃｏｄｅ  Ｔｉｍｅ  Ｓｔａｍｐ））及び連続性カウンタ値（Ｃｏｎｔｉｎｕｉｔｙ＿ｃｏｕｎｔｅｒ）を書き換える。
【００２４】
本発明のＭＰＥＧ−ＴＳ再生装置は、映像ＴＳ、音声ＴＳ及びＰＳＩ／ＳＩ・ＴＳを記憶する。したがって、Ｌ種類の映像ＴＳ、Ｍ種類の音声ＴＳ及びＮ種類のＰＳＩ／ＳＩ・ＴＳの組み合わせからなる複数のＭＰＥＧ−ＴＳを再生する場合、本発明のＭＰＥＧ−ＴＳ再生装置の記録媒体は、（Ｌ＋Ｍ＋Ｎ）個のＴＳを記録すればよい。その結果、本発明のＭＰＥＧ−ＴＳ再生装置の記録媒体の容量は、従来のものと比べて、小さくすることができる。
【００２５】
図４は、本発明のＭＰＥＧ−ＴＳ再生装置の詳細なブロック図を示す。以下に、図４に示すＭＰＥＧ−ＴＳ再生装置の動作を説明する。
パラメータ設定部４１は、ユーザによって選択されたパターン番号（ＰＴＮ  Ｎｏ．）を入力し、そのパターン番号を記憶する。また、パラメータ設定部４１は、パターン番号と、それに対応する１つの映像ＴＳ、１つの音声ＴＳ及び１つのＰＳＩ／ＳＩ・ＴＳとの関係を記憶する。
【００２６】
パラメータ設定部４１は、ユーザによって選択されたパターン番号（ＰＴＮ  Ｎｏ．）を入力すると、記憶手段４３（例えば、１６ビットのデータバス幅を持つＦｌａｓｈ−ＲＯＭ）内のパターン番号に対応する１つの映像ＴＳ、１つの音声ＴＳ及び１つのＰＳＩ／ＳＩ・ＴＳのそれぞれに、入力セレクタ４２を介してアクセスする。その結果、パラメータ設定部４１は、アクセスした１つの映像ＴＳ及び１つの音声ＴＳのそれぞれの先頭アドレス及びパケット（１パケットは、例えば、１８８バイトである。）数を得て、映像ＴＳの先頭アドレス及びパケット数を映像ＴＳバッファ４４に出力し、音声ＴＳの先頭アドレス及びパケット数を音声ＴＳバッファ４５に出力する。また、パラメータ設定部４１は、アクセスした１つのＰＳＩ／ＳＩ・ＴＳを得て、それをＰＳＩ／ＳＩパケット生成部４６に出力（転送）する。パラメータ設定部４１はさらに、アクセスした１つの映像ＴＳ及び１つの音声ＴＳのそれぞれのデータレートを得て、ＰＳＩ／ＳＩ・ＴＳを転送後に、各データレート（例えば、映像データレート：８．１９２Ｍｂｐｓ、音声データレート：０．２５６Ｍｂｐｓ）を、動作許可信号（ＥＮ）としてタイミング生成部４７に出力する。
【００２７】
タイミング生成部４７は、基準クロック（Ｒｅｆｃｌｋ、例えば、１２．２８８ＭＨｚ）を入力する。タイミング生成部４７は、パラメータ設定部４１からの動作許可信号（ＥＮ）に従い、基準クロックを分周して、映像ＴＳ及び音声ＴＳのそれぞれのデータレートに対応する読み出しクロック（例えば、映像読み出しロック：１．０２４ＭＨｚ、音声読み出しクロック：０．０３２ＭＨｚ）を生成する。タイミング生成部４７は、読み出しクロックのそれぞれを１８８分周し、１パケット周期に対応する読み出しトリガ信号を生成する。タイミング生成部４７は、映像用の読み出しトリガ信号（ＴＲＧ）を映像ＴＳバッファ４４に出力し、音声用の読み出しトリガ信号（ＴＲＧ）を音声ＴＳバッファ４５に出力する。タイミング生成部４７はさらに、基準クロックを分周して、ＭＰＥＧ−ＴＳ再生装置の出力データレート（例えば、１２．２８８ＭＨｚ）に対応するＴＳ出力クロックを生成する。タイミング生成部４７は、出力データレートに対応するＴＳ出力クロック（ＢＣＬＫ）を出力制御部４８及び出力セレクタ５１に出力する。
【００２８】
映像ＴＳバッファ４４は、パターン番号に対応する１つの映像ＴＳの先頭アドレス及びパケット数を、パラメータ設定部４１から入力する。映像ＴＳバッファ４４は、先頭アドレスをアドレス値として記憶する。また、映像ＴＳバッファ４４は、映像ＴＳの１パケット周期に対応する読み出しトリガ信号を、タイミング生成部４７から入力する。映像ＴＳバッファ４４は、映像用の読み出しトリガ信号に従い、アドレス値を、読み出し要求信号（ＲＥＱ）として入力制御部４９に出力する。
【００２９】
同様に、音声ＴＳバッファ４５は、パターン番号に対応する１つの音声ＴＳの先頭アドレス及びパケット数を、パラメータ設定部４１から入力する。音声ＴＳバッファ４５は、先頭アドレスをアドレス値として記憶する。また、音声ＴＳバッファ４５は、音声ＴＳの１パケット周期に対応する読み出しトリガ信号を、タイミング生成部４７から入力する。音声ＴＳバッファ４５は、音声用の読み出しトリガ信号に従い、アドレス値を、読み出し要求信号（ＲＥＱ）として入力制御部４９に出力する。
【００３０】
入力制御部４９は、映像及び音声用の読み出し要求信号（ＲＥＱ）に従い、指定されたアドレス値から、９４ワード（１８８バイト＝１パケット）範囲に対応するデータの読み出し制御信号（ＣＴＲＬ）を生成し、入力セレクタ４２を介して、パターン番号に対応する１つの映像ＴＳ及び１つの音声ＴＳのそれぞれの１パケットを、記憶手段４３から読み出す。入力制御部４９は、読み出した映像用の１パケットを映像ＴＳバッファ４４に出力し、読み出した音声用の１パケットを音声ＴＳバッファ４５に出力する。入力制御部４９は、映像及び音声用のそれぞれの１パケットを読み終えると、完了信号（ＵＰ）を映像ＴＳバッファ４４及び音声ＴＳバッファ４５に出力する。
【００３１】
より詳細な動作において、入力制御部４９は、１つの映像ＴＳ及び１つの音声ＴＳのそれぞれの１パケットのうち、１バイトのデータを読み出す毎に、それぞれの書き込みトリガ信号（ＷＲ）を映像ＴＳバッファ４４及び音声ＴＳバッファ４５に出力する。
【００３２】
映像ＴＳバッファ４４及び音声ＴＳバッファ４５のそれぞれは、書き込みトリガ信号（ＷＲ）を入力制御部４９から入力する毎に、読み出したデータを保持し、そのデータを１バイトずつに分離して、映像ＴＳバッファ４４及び音声ＴＳバッファ４５のそれぞれのＦＩＦＯに書き込む。なお、各パケットの先頭１バイトが書き込まれる際、ＰＳＹＮＣフラグもＦＩＦＯに書き込まれる。ＦＩＦＯ内のデータ残量が少なくとも１パケット以上になった場合、映像ＴＳバッファ４４及び音声ＴＳバッファ４５のそれぞれは、読み出し許可信号（ＲＤＹ）を出力制御部４８に出力する。
【００３３】
映像ＴＳバッファ４４及び音声ＴＳバッファ４５のそれぞれは、完了信号（ＵＰ）を入力制御部４９から入力する毎に、アドレス値に１パケットに相当するアドレス値（＋９４ワード又は＋１８８バイト）を足して、アドレス値を更新する。なお、映像ＴＳバッファ４４及び音声ＴＳバッファ４５のそれぞれは、完了信号（ＵＰ）をカウントし、そのカウント値がパケット数と一致する場合、アドレス値を先頭アドレスに戻すとともに、カウント値を初期化する。
【００３４】
ＰＳＩ／ＳＩパケット生成部４６は、記憶手段４３に記憶される１つのＰＳＩ／ＳＩ・ＴＳを、パラメータ設定部４１から入力セレクタ４２を介して入力する。記憶手段４３に記憶される１つのＰＳＩ／ＳＩ・ＴＳは、ＰＡＴ（Ｐｒｏｇｒａｍ  Ａｓｓｏｃｉａｔｉｏｎ  Ｔａｂｌｅ）パケット、ＰＭＴ（Ｐｒｏｇｒａｍ  Ｍａｐ  Ｔａｂｌｅ）パケット及びＮＩＴ（Ｎｅｔｗｏｒｋ  Ｉｎｆｏｒｍａｔｉｏｎ  Ｔａｂｌｅ）パケットからなる。ＰＳＩ／ＳＩパケット生成部４６は、入力した１つのＰＳＩ／ＳＩ・ＴＳ（ＰＡＴパケット、ＰＭＴパケット及びＮＩＴパケット）を、例えばＰＳＩ／ＳＩパケット生成部４６のバッファＲＡＭに、記憶する。
【００３５】
ＰＳＩ／ＳＩの中のＴＯＴ（Ｔｉｍｅ  Ｏｆｆｓｅｔ  Ｔａｂｌｅ）は、現在の日付及び時刻の指示を含むので、ＴＯＴパケットは、ＰＳＩ／ＳＩパケット生成部４６で生成される。なお、ＴＯＴパケットの代わりにＴＤＴ（Ｔｉｍｅ  Ｄａｔｅ  Ｔａｂｌｅ）が生成されてもよい。
【００３６】
ＰＳＩ／ＳＩパケット生成部４６は、ＰＡＴパケット、ＰＭＴパケット、ＮＩＴパケット及びＴＯＴパケットのそれぞれの出力タイミングを生成する。具体的には、ＰＡＴパケットは、例えば、１００ｍｓｅｃ間隔であり、ＰＭＴパケットは、例えば、１００ｍｓｅｃ間隔であり、ＮＩＴパケットは、例えば、１ｓｅｃ間隔であり、ＴＯＴパケットは、例えば、５ｓｅｃ間隔である。ＰＳＩ／ＳＩパケット生成部４６は、ＰＡＴパケット、ＰＭＴパケット、ＮＩＴパケット及びＴＯＴパケットのそれぞれの出力タイミングで、各パケットの読み出し許可信号（ＲＤＹ）を出力制御部４８に出力する。
【００３７】
図５は、ＰＳＩ／ＳＩの各パケットの出力タイミング図の１例を示す。図５に示すように、ＰＡＴパケット、ＰＭＴパケット、ＮＩＴパケット及びＴＯＴパケットのそれぞれの出力タイミングは、互いに重ならないように設定することが好ましい。図５の例において、ＰＭＴパケットの出力タイミングは、ＰＡＴパケットの出力タイミングの基準（０ｍｓｅｃ）から、２０ｍｓｅｃ遅れている。ＮＩＴパケットの出力タイミングは、ＰＡＴパケットの基準（０ｍｓｅｃ）から、６０ｍｓｅｃ遅れている。ＴＯＴパケットの出力タイミングは、ＰＡＴパケットの基準（０ｍｓｅｃ）から、８０ｍｓｅｃ遅れている。このような１組の出力タイミングを採用することにより、映像ＴＳ及び音声ＴＳのそれぞれのタイムスタンプへの影響（ジッタ）を少なくすることができると共に、映像ＴＳバッファ４４および音声ＴＳバッファ４５の必要なバッファ量を数パケット程度に抑えることが可能となる。
【００３８】
図４に戻り、出力制御部４８は、映像ＴＳバッファ４４、音声ＴＳバッファ４５及びＰＳＩ／ＳＩパケット生成部４６のそれぞれからの読み出し許可信号（ＲＤＹ）を、出力セレクタ５１（ＭＰＥＧ−ＴＳ再生装置）の出力データレート（例えば、１２．２８８ＭＨｚ）に対応するＴＳ出力クロック（ＢＣＬＫ）に従って、監視する。
【００３９】
読み出し許可信号（ＲＤＹ）が入力されている場合、出力制御部４８は、その読み出し許可信号（ＲＤＹ）に対応する映像ＴＳバッファ４４、音声ＴＳバッファ４５又はＰＳＩ／ＳＩパケット生成部４６の何れかに、読み出し要求信号（ＲＤ）を出力する。複数の読み出し許可信号（ＲＤＹ）が入力されている場合、出力制御部４８は、所定の優先順位に従って、１つの読み出し要求信号（ＲＤ）を出力する。所定の優先順位は、例えば、第１優先順位がＴＯＴパケットであり、第２優先順位がＮＩＴパケットであり、第３優先順位がＰＭＴパケットであり、第４優先順位がＰＡＴパケットであり、第５優先順位が音声パケットであり、第６優先順位が映像パケットである。
【００４０】
読み出し許可信号（ＲＤＹ）が入力されていない場合、出力制御部４８は、ＮＵＬＬパケット生成部５０に、読み出し要求信号（ＲＤ）を出力する。
出力制御部４８は、映像ＴＳバッファ４４、音声ＴＳバッファ４５、ＰＳＩ／ＳＩパケット生成部４６又はＮＵＬＬパケット生成部５０の何れかに、読み出し要求信号（ＲＤ）を出力するとともに、対応する素子４４、４５、４６又は５０からの信号を選択可能とする選択信号（ＳＥＬ）を出力セレクタ５１に出力する。
【００４１】
映像ＴＳバッファ４４及び音声ＴＳバッファ４５のそれぞれは、読み出し要求信号（ＲＤ）を出力制御部４８から入力すると、各ＦＩＦＯ内のデータを１バイトずつ読み出し、そのデータを出力セレクタ５１に出力する。各ＦＩＦＯ内の１８８バイトのデータが読み出された時点で、映像ＴＳバッファ４４及び音声ＴＳバッファ４５のそれぞれは、１パケット読み出し完了信号を出力制御部４８に出力する。
【００４２】
ＰＳＩ／ＳＩパケット生成部４６は、ＰＡＴパケット、ＰＭＴパケット又はＮＩＴパケットの読み出し要求信号（ＲＤ）を、出力制御部４８から入力すると、ＰＳＩ／ＳＩパケット生成部４６のバッファＲＡＭ内に記録されるＰＡＴパケット、ＰＭＴパケット又はＮＩＴパケットを読み出し、そのデータを出力セレクタ５１に出力する。ＴＯＴパケット（或いはＴＤＴパケット）の読み出し要求信号（ＲＤ）が入力されるとき、ＰＳＩ／ＳＩパケット生成部４６は、現在の日付及び時刻の情報を生成し、その情報をＣＲＣ（Ｃｙｃｌｉｃ  Ｒｅｄｕｎｄａｎｃｙ  Ｃｈｅｃｋ）処理してＴＯＴパケット（或いはＴＤＴパケット）を生成し、バッファＲＡＭ内に記録する。その後、バッファＲＡＭ内のＴＯＴパケットを読み出し、そのデータを出力セレクタ５１に出力する。バッファＲＡＭ内の各パケットが読み出された時点で、ＰＳＩ／ＳＩパケット生成部４６は、１パケット読み出し完了信号を出力制御部４８に出力する。
【００４３】
出力セレクタ５１は、選択信号（ＳＥＬ）を出力制御部４８から入力する。出力セレクタ５１は、選択信号（ＳＥＬ）に従い、映像ＴＳバッファ４４、音声ＴＳバッファ４５、ＰＳＩ／ＳＩパケット生成部４６又はＮＵＬＬパケット生成部５０の何れかからのパケットを選択する。出力セレクタ５１は、ＭＰＥＧ−ＴＳ再生装置の出力データレート（例えば、１２．２８８ＭＨｚ）に対応するＴＳ出力クロック（ＢＣＬＫ）に従って、選択したパケットをＭＰＥＧ−ＴＳとして出力する。
【００４４】
出力セレクタ５１は、選択したパケットをＭＰＥＧ−ＴＳとして出力する際、ＭＰＥＧ−ＴＳのタイムスタンプ（ＰＣＲ及びＰＴＳ／ＤＴＳ）及び連続性カウンタ値を書き換える。
【００４５】
記憶手段４３（例えば、Ｆｌａｓｈ−ＲＯＭ）は、複数の映像ＴＳ、複数の音声ＴＳ及び少なくとも１つのＰＳＩ／ＳＩ・ＴＳを記憶し、パターン番号に対応する１つの映像ＴＳ、１つの音声ＴＳ及び１つのＰＳＩ／ＳＩ・ＴＳが、出力セレクタ５１によって多重化され、出力セレクタ５１から出力される。もう１つの選択番号がユーザによって選択されたとき、出力セレクタ５１から出力されるＭＰＥＧ−ＴＳの各構成要素ＴＳが切り替わるように、記憶手段４３内の複数の映像ＴＳは、すべて同じパケットＩＤを持つ。言い換えれば、同じパケットＩＤを持つように、記憶手段４３内の複数の映像ＴＳのそれぞれが予め生成され、記憶されている。同様に、同じパケットＩＤを持つように、記憶手段４３内の複数の音声ＴＳのそれぞれが予め生成され、記憶されている。また、記憶手段２１に記憶される映像ＴＳ及び音声ＴＳと、ＰＳＩ／ＳＩ・ＴＳとの間の情報は、整合する。
【００４６】
上述のように、映像ＴＳバッファ４４及び音声ＴＳバッファ４５のそれぞれは、完了信号（ＵＰ）をカウントし、そのカウント値がパケット数と一致する場合、アドレス値を先頭アドレスに戻すとともに、カウント値を初期化する。従って、出力セレクタ５１から出力されるＭＰＥＧ−ＴＳ内の映像ＴＳ及び音声ＴＳのそれぞれは、繰り返して再生される。
【００４７】
記憶手段４３に記録される映像ＴＳ及び音声ＴＳのデータ量は、それぞれのフレーム・レート（例えば、映像フレーム・レート：（１００１／３００００）ｓｅｃ、音声フレーム・レート：（１０２４／４８００００）ｓｅｃ）の整数倍で予め生成される。記憶手段４３に記録される映像ＴＳ及び音声ＴＳには、試験信号用のＴＳ（例えば、映像ＴＳ：カラーバー、音声ＴＳ：１ｋＨｚの正弦波）が含まれる。記憶手段４３に記録される音声ＴＳが、周期性を持つ音声信号の場合、記憶手段４３に記録される音声ＴＳのデータ量は、音声フレーム・レート（（１０２４／４８００００）ｓｅｃ）と音声信号の周期（例えば、音声信号が１ｋＨｚの正弦波であり、かつ音声フレーム・レートのサンプリング周波数が４８０００Ｈｚの場合、（（４８０００／１０００）／４８００００）ｓｅｃ＝（４８／４８０００）ｓｅｃ）との最小公倍数（（３０７２／４８００００）ｓｅｃ）の整数倍である。これにより、ＭＰＥＧ−ＴＳ内の音声ＴＳが繰り返して再生される際に、音声の連続性を保つことができる。
【図面の簡単な説明】
【００４８】
【図１】従来のＴＳ再生装置内で記録されているＴＳの概念図を示す。
【図２】本発明のＭＰＥＧ−ＴＳ再生装置の概略ブロック図を示す。
【図３】１つの映像ＴＳ、１つの音声ＴＳ及び１つのＰＳＩ／ＳＩ・ＴＳと、パターン番号との関係の１例を表す。
【図４】本発明のＭＰＥＧ−ＴＳ再生装置の詳細なブロック図を示す。
【図５】ＰＳＩ／ＳＩの各パケットの出力タイミング図の１例を示す。
【図１】
2006050009.tif 000003
【図２】
2006050009.tif 000004
【図３】
2006050009.tif 000005
【図４】
2006050009.tif 000006
【図５】
2006050009.tif 000007